(57)【要約】      （修正有）【課題】光の反射を利用して警告効果を大幅に高め、夜間運転の安全性を高める自動車用発光式泥除けを提供する。【解決手段】自動車用発光式泥除けは、泥除け１１、警告ランプ２１、および反射ユニット３１を備える。泥除け１１は、チャンバー１２を有する。警告ランプ２１は、チャンバー１２に装着され、複数の発光ユニットを有する回路板およびカバー２３から構成される。反射ユニット３１は、警告ランプ２１に被さり、孔３２を有する。警告ランプ２１のカバー２３は孔３２から反射ユニット３１の外部に突出する。警告ランプ２１が発光する際、警告効果を生じる光は周りに位置する反射ユニット３１によって反射され、警告効果を大幅に高めることができる。これにより、夜間運転の安全性を高めることができる。【選択図】図１
0003165871.tif 000002
【実用新案登録請求の範囲】
【請求項１】
チャンバーを有する泥除けと、
前記チャンバーに装着され、複数の発光ユニットを有する回路板およびカバーから構成される警告ランプと、
前記警告ランプに被さり、孔を有する反射ユニットと、
を備え、
前記警告ランプの前記カバーは、前記孔から前記反射ユニットの外部に突出し、前記警告ランプの光は、前記反射ユニットによって反射されることを特徴とする自動車用発光式泥除け。
【請求項２】
前記警告ランプの前記カバーは、頂部および底部を有し、
前記頂部は、形と大きさが前記反射ユニットの前記孔に対応し、前記孔から前記反射ユニットの外部に突出し、
前記底部は、前記反射ユニットによって押さえられ、前記チャンバー内に固定されることを特徴とする請求項１に記載の自動車用発光式泥除け。
【請求項３】
前記警告ランプは、前記底部と前記回路板との間に接着剤充填空間を有することを特徴とする請求項２に記載の自動車用発光式泥除け。
【請求項４】
前記チャンバーは、前記警告ランプが装着される固定溝を有し、
前記固定溝は、内部が凹むことによって形成された配線溝を有し、
前記泥除けの前記配線溝の周りに前記警告ランプに電気的に接続される電源コードを内蔵し、
前記電源コードは、接続端が前記配線溝内まで伸びるように配線されることを特徴とする請求項１に記載の自動車用発光式泥除け。
【請求項５】
前記チャンバーは、前記警告ランプが装着される固定溝を有し、
前記固定溝は、内部が凹むことによって形成された配線溝を有し、
前記泥除けは、一方の面に沿って前記配線溝内まで伸びるように形成されたスリットを有し、
前記スリットは、警告ランプに電気的に接続される電源コードの装着に用いられることを特徴とする請求項１に記載の自動車用発光式泥除け。
【請求項６】
前記反射ユニットは、複数の締付ユニットを差し込むことによって前記泥除けに固定されることを特徴とする請求項１に記載の自動車用発光式泥除け。
【考案の詳細な説明】
【技術分野】
【０００１】
本考案は、自動車用発光式泥除けに関する。
【背景技術】
【０００２】
一般の車両は、夜間運転の安全性を高めるため、車体の後方にブレーキランプおよび後照灯が装着され、ブレーキランプおよび後照灯によって後方の自動車に警告を発することが可能である。
【０００３】
図６に示すように、従来の泥除け上の警告ランプは、泥除け８１に空洞部８２を設け、空洞部８２にチャンバー８３を装着し、チャンバー８３の内部に警告ランプ８４を装着し、空洞部８２の外側にレンズ８５を被せることによって構成されるため、泥除け８１は、発光を介して警告効果を生じることによって夜間運転の安全性を高めることが可能である。
【考案の概要】
【考案が解決しようとする課題】
【０００４】
しかしながら、上述した泥除け上の警告ランプは、警告を発する発光範囲がレンズ８５によって決まる区域に限られ、かつ装着に非常に手間がかかるため、装着に時間がかかり、メンテナンスが難しいという欠点を抱えている。
本考案の目的は、発光による警告効果を果たし、光源の反射を介して発光および警告範囲を拡大することによって警告効果を大幅に高め、夜間運転の安全性を高めることを可能にする自動車用発光式泥除けを提供することである。
【課題を解決するための手段】
【０００５】
上述の目的を達成するため、本考案による自動車用発光式泥除けは、泥除け、警告ランプ、および反射ユニットを備える。
泥除けは、チャンバーを有する。
警告ランプは、チャンバーに装着され、かつ複数の発光ユニットを有する回路板およびカバーから構成される。
反射ユニットは、警告ランプに被さり、かつ孔を有する。警告ランプのカバーは孔から反射ユニットの外部に突出するため、警告ランプが発光する際、警告効果を生じる光は周りに位置する反射ユニットによって反射され、警告効果を大幅に高めることができる。
【図面の簡単な説明】
【０００６】
【図１】本考案の第１実施形態による自動車用発光式泥除けを示す分解図である。
【図２】本考案の第１実施形態による自動車用発光式泥除けを示す斜視図である。
【図３】本考案の第１実施形態による自動車用発光式泥除けにおける発光ユニットが作動する状態を示す模式図である。
【図４】本考案の第１実施形態による自動車用発光式泥除けが自動車に装着された後の使用状態を示す模式図である。
【図５】本考案の第２実施形態による自動車用発光式泥除けの構造を示す模式図である。
【図６】従来の泥除け上の警告ランプの構造を示す模式図である。
【考案を実施するための形態】
【０００７】
以下、本考案による自動車用発光式泥除けを図面に基づいて説明する。
（第１実施形態）
図１および図２に示すように、本考案の第１実施形態による自動車用発光式泥除けは、泥除け１１、警告ランプ２１、および反射ユニット３１を備える。
【０００８】
泥除け１１は、表面の適切な位置にチャンバー１２を有する。チャンバー１２は固定溝１２１を有し、固定溝１２１は、内部が凹むことによって形成された配線溝１２２を有する。泥除け１１を製作すると同時に泥除け１１の配線溝１２２の周りに電源コード１３を内蔵する。電源コード１３は、接続端が配線溝１２２内まで伸びるように配線される。
【０００９】
警告ランプ２１は、泥除け１１のチャンバー１２の固定溝１２１に装着され、回路板２２および透光性のあるカバー２３から構成される。警告ランプ２１の回路板２２は、配線溝１２２内の電源コード１３の接続端に電気的に接続され、かつ複数の発光ダイオードから構成された発光ユニット２２１を有する。警告ランプ２１のカバー２３は、頂部２３１および底部２３２を有し、頂部２３１の外径が底部２３２の外径より小さい。カバー２３の頂部２３１と底部２３２との交差箇所は階段状を呈する。警告ランプ２１は、カバー２３の底部２３２と回路板２２との間に接着剤充填空間２４を有するため、警告ランプ２１の回路板２２およびカバー２３を組み立てる際、接着剤充填空間２４に接着剤を適切に充填することによって水気が回路板２２に浸入し回路板２２を損壊するという現象を確実に防止することができる。
【００１０】
反射ユニット３１は、表面に光を反射可能な効果を有し、中央部位に孔３２を有する。反射ユニット３１は、泥除け１１のチャンバー１２に装着され、かつ警告ランプ２１に被さる。警告ランプ２１のカバー２３の頂部２３１は、形および大きさが反射ユニット３１の孔３２の形に対応し、孔３２から反射ユニット３１の外部に突出し、底部２３２は、反射ユニット３１によって押さえられ、チャンバー１２の固定溝１２１内に固定される。反射ユニット３１の周りから泥除け１１に締付ユニット４１を取り付けることにより、反射ユニット３１および警告ランプ２１を泥除け１１に同時に固定する。
【００１１】
図３および図４に示すように、上述した部品から構成された自動車用発光式泥除けが実際に使用される際、発光ユニット２２１が発光すると、反射ユニット３１は、発光ユニット２２１が後方へ放射した光線を受け、屈折光を発生させる。泥除け１１は、警告ランプ２１が発光することによって警告効果を生じ、反射ユニット３１に屈折光が発生する。したがって、発光および警告区域を拡大し、警告効果を大幅に向上させ、夜間運転の安全性を高めることができる。
【００１２】
本実施形態による自動車用発光式泥除けは、構造が簡単で製造コストが安いことが長所である。本実施形態においては、警告ランプ２１を組み立てる際、泥除け１１の固定溝１２１によって位置を照準し、続いて予めに泥除け１１の配線溝１２２の周りに内蔵された電源コード１３と警告ランプ２１とを互いに接続させ、そののち警告ランプ２１に反射ユニット３１を被せ、続いて複数の締付ユニット４１によって締付を行う。このとき反射ユニット３１によって警告ランプ２１を押さえ、同時に反射ユニット３１と警告ランプ２１を固定し、組み立てることができるため、本実施形態による自動車用発行式泥除けは、着脱が迅速でメンテナンスが簡単である。
【００１３】
（第２実施形態）
図５に示すのは本考案による第２実施形態である。第１実施形態との違いは、次の通りである。泥除け１１を形成すると同時に、泥除け１１の一方の面に沿って配線溝１２２まで伸びるスリット１４を形成する。スリット１４は、警告ランプ２１に接続される電源コード１３の装着に用いられる。泥除け１１の形成が完了した後、警告ランプ２１に接続される電源コード１３をスリット１４内に装着すれば、電源コード１３の装着作業が完了する。
【００１４】
以上、本考案は、上記実施形態になんら限定されるものではなく、考案の趣旨を逸脱しない範囲において種々の形態で実施可能である。
【符号の説明】
【００１５】
（本考案の部分）
１１    ・・・泥除け、
１２    ・・・チャンバー、
１２１  ・・・固定溝、
１２２  ・・・配線溝、
１３    ・・・電源、
１４    ・・・スリット、
２１    ・・・警告ランプ、
２２    ・・・回路板、
２２１  ・・・発光ユニット、
２３    ・・・カバー、
２３１  ・・・頂部、
２３２  ・・・底部、
２４    ・・・接着剤充填空間、
３１    ・・・反射ユニット、
３２    ・・・孔、
４１    ・・・締付ユニット、
（従来の部分）
８１    ・・・泥除け、
８２    ・・・空洞部、
８３    ・・・チャンバー、
８４    ・・・警告ランプ、
８５    ・・・レンズ。
【図１】
0003165871.tif 000003
【図２】
0003165871.tif 000004
【図３】
0003165871.tif 000005
【図４】
0003165871.tif 000006
【図５】
0003165871.tif 000007
【図６】
0003165871.tif 000008